(57)【要約】【課題】交流電源の過電圧が検出されたときに人の操作がなくても確実に交流電源を遮断し続けることができ、かつ、小型軽量な過電圧保護装置を提供する。【解決手段】交流電源の入力端ＡＣ＿ＩＮと、保護対象機器に接続される交流電源の出力端ＡＣ＿ＯＵＴと、入力端ＡＣ＿ＩＮと出力端ＡＣ＿ＯＵＴとを結ぶ配線Ｌ１、Ｌ２と、配線Ｌ1に設けられる常閉接点のリレーＲＹと、配線Ｌ１に接続され、交流電源の過電圧を検出する入力状態検出部２と、入力状態検出部２と電気的に絶縁した状態で結合されリレーＲＹを駆動するリレー駆動回路３と、リレー駆動回路３に電源を供給する電池ＢＡＴとを備え、入力状態検出部２で過電圧が検出された場合、リレー駆動回路３が常閉接点のリレーＲＹを解放するよう駆動し、電池ＢＡＴの電源によりリレー駆動回路３が前記リレーの接点を解放状態に保持する。【選択図】  図１
2014023300.tif 000002
【特許請求の範囲】
【請求項１】
交流電源の入力端と、
保護対象機器に接続される交流電源の出力端と、
前記入力端と前記出力端とを結ぶ配線と、
前記配線に設けられる常閉接点のリレーと、
前記配線に接続され、前記交流電源の過電圧を検出する入力状態検出部と、
前記入力状態検出部と電気的に絶縁した状態で結合され、前記リレーを駆動するリレー駆動回路と、
前記駆動回路に電源を供給する電池を備え、
前記入力状態検出部で過電圧が検出された場合、前記リレー駆動回路が前記リレーの接点を解放するよう駆動し、電池の電力により前記リレー駆動回路が前記リレーの接点を解放状態に保持することを特徴とする過電圧保護装置。
【請求項２】
請求項１記載の過電圧保護装置において、
前記配線に接続されるスイッチング電源と、
前記スイッチング電源に接続され、前記電池を充電するための充電制御回路と、
前記電池の電圧を検出し、電池電圧が所定値以下の場合には、前記スイッチング電源からの電流で前記リレーを駆動する電池電圧検出部を備えたことを特徴とする過電圧保護装置。
【発明の詳細な説明】
【技術分野】
【０００１】
この発明は、電子機器において、電源に過電圧が加わった場合に、電源を遮断し電子機器を保護する過電圧保護装置に関する。
【背景技術】
【０００２】
商用交流電源の電圧は、国や地域により異なるため、例えば１００Ｖ使用の電子機器を、２２０Ｖの電源に接続すると、過電圧により電子機器が損傷する。このような過電圧より電子機器を保護するため、商用電源と電子機器の間に介在し、電子機器を過電圧より保護する過電圧保護装置が知られている。
【０００３】
従来、交流電源に接続されるトランスと、トランスの１次側に設けられる常閉接点（ノーマルクローズ）のリレーと、トランスの２次側に整流回路、平滑コンデンサ、電圧検出手段及び駆動回路を備え、電圧検出手段が過電圧を検出すると駆動回路が常閉接点のリレーを駆動して、交流電源を遮断するよう構成した過電圧保護装置が知られている（特許文献１参照）。
【０００４】
特許文献１の過電圧保護装置では、電圧検出手段が過電圧を検出したときに常閉接点のリレーを駆動させて交流電源を遮断するが、交流電源が遮断されるとトランス２次側の回路の電源が断たれて駆動回路が動作しなくなるため、リレーを駆動することができなくなる。このため、一旦開いた常閉接点は再び閉じて、交流電源と電気が再び接続されてしまう。そして、差込プラグを抜くなどの人の操作がされない限り、リレーの開閉が繰り返される。また、トランスとして低周波トランスを使用するため、装置が重く大きくなってしまう。
【０００５】
そこで、常開接点（ノーマルオープン）のリレーを用いた過電圧保護装置が提案されている（特許文献２参照）。特許文献２の過電圧保護装置は、ダイオードブリッジの入力側に接続される常開接点のリレー（通電保持リレー）と、ダイオードブリッジの出力側に電圧検出手段と常開接点のリレーを制御する制御部及びこの制御部に電源を供給する電源部を備えている。また、常開接点には、非保持型スイッチ（ＳＷ）が並列に接続されている。
【０００６】
特許文献２の過電圧保護装置では、初期状態ではリレーの接点はオープンであるので電流は流れない。非保持型スイッチが操作されると電流が流れ、電源部から直流電圧が供給され、制御部が動作する。制御部は、リレーのコイルに通電し、リレーの接点がクローズにされた状態が保持される。
【０００７】
過電圧検出手段が過電圧を検出すると、制御部がリレーのコイルの通電を停止し、リレーの接点がオープンにされて、交流電源が遮断される。リレーは常開接点であるので、交流電源の遮断状態が保持される。
【先行技術文献】
【特許文献】
【０００８】
【特許文献１】特開平９−９３９４１号公報
【特許文献２】特開２０１１−１２０３６６号公報
【発明の概要】
【発明が解決しようとする課題】
【０００９】
しかしながら、特許文献２の過電圧保護装置においても、何らかの原因で非保持型スイッチがオンし続けた場合に、負荷に過電圧が供給され続けてしまう。従って、人の操作がされない限り、負荷を過電圧から保護することができないという問題を有している。
【００１０】
この発明は、上記課題を解決し、過電圧が検出されたときに人の操作がなくても確実に交流電源を遮断し続けることができ、かつ、小型軽量な過電圧保護装置を提供することを目的としている。
【課題を解決するための手段】
【００１１】
上記課題を解決するため、この発明の過電圧保護装置は、交流電源の入力端と、保護対象機器にされる交流電源の出力端と、前記入力端と前記出力端とを結ぶ配線と、前記配線に設けられる常閉接点のリレーと、前記配線に接続され、前記交流電源の過電圧を検出する入力状態検出部と、前記入力状態検出部と電気的に絶縁した状態で結合され、前記リレーを駆動するリレー駆動回路と、前記リレー駆動回路に電源を供給する電池とを備え、前記入力状態検出部で過電圧が検出された場合、前記リレー駆動回路が前記リレーの接点を解放状態に保持する。
【００１２】
上記構成によれば、過電圧が検出された場合、電池により常閉接点のリレーが、接点が解放（オープン）の状態に保持されるため、リレーの開閉が繰り返されることがなく、また、非保持型スイッチがないため、非保持型スイッチが誤ってオンし続けて、交流が流れ続けることを回避できる。
【００１３】
また、この発明の過電圧保護装置は、前記配線に接続されるスイッチング電源と、前記スイッチング電源に接続され、前記電池を充電するための充電制御回路と、前記電池の電圧を検出し、電池電圧が所定値以下の場合には、前記スイッチング電源からの電流で前記リレーを駆動する電池電圧検出部をさらに備えている。
【００１４】
電池の電圧が下がっても、前記スイッチング電源の電流で電池が充電され、また電池を充電している間、前記スイッチング電源の電流で、前記リレーの接点がオープン状態に保持されるので、長い時間にわたり、電源の遮断状態を保持することができる。
【発明の効果】
【００１５】
本発明は、以上説明したように、常閉接点のリレーの開閉が繰り返されることがなく、接点のオープンの状態が保持される。また、非保持型スイッチを使用しないので、誤ってリレーがクローズし続けることがなく、確実に保護対象機器を過電圧より保護し、安全性を向上できる利点を有している。さらに、電源としてスイッチング電源を用いるので、装置を小型・軽量化できる利点を有している。
【図面の簡単な説明】
【００１６】
【図１】本発明の実施の形態に係る過電圧保護装置を説明するブロック図である。
【図２】図１における入力状態検出部、リレー駆動回路、電池電圧検出部を説明する回路図である。
【図３】図１における充電制御回路を説明する回路図である。
【図４】図１におけるスイッチング電源を説明する回路図である。
【発明を実施するための形態】
【００１７】
本発明の一実施形態にかかる過電圧保護装置を、図１〜図４を参照しながら説明する。
【００１８】
図１は、過電圧保護装置１の全体構成を説明するブロック図である。過電圧保護装置１は、単相交流電源に適用されるもので、交流電源入力端ＡＣ_ＩＮ、交流電源出力端ＡＣ＿ＯＵＴを備えている。交流電源入力端ＡＣ＿ＩＮは差込プラグ、交流電源出力端ＡＣ＿ＯＵＴはコンセントなどで構成することができる。交流電源入力端ＡＣ＿ＩＮは、交流電源に接続され、交流電源出力端ＡＣ＿ＯＵＴは保護対象機器が接続される。
【００１９】
交流電源入力端ＡＣ＿ＩＮと交流電源出力端ＡＣ＿ＯＵＴは、配線Ｌ１、Ｌ２で結ばれている。配線Ｌ１上にはヒューズＦ１、常閉接点（ノーマルクローズ）のリレー（以下単にリレーと呼ぶ）ＲＹが設けられている。Ｄ１は、逆起電力防止用のダイオードである。ここでは、単極単投型のリレーを用いているが、双極単投型のリレーを用いて、配線Ｌ１、Ｌ２それぞれに、常閉接点が入るよう構成することもできる。
【００２０】
過電圧保護装置１は、さらに入力状態検出部２、ホトカプラ(photo-coupler)ＰＣ１、リレー駆動回路３、電池電圧検出部４、リチウムイオン電池パック５、充電制御回路６及びスイッチング電源７を備えている。入力状態検出部２は、配線Ｌ１のＦ点に接続されると共に、ホトカプラＰＣ１のＬＥＤ(light emitting diode)１側に接続している。入力状態検出部２は、Ｆ点の電圧を検出し、Ｆ点の電圧が所定値以上となった場合に、ホトカプラＰＣ１のＬＥＤ１を点灯させる。ホトカプラＰＣ１を介在させているのは、交流電源（１次側）とリレー駆動回路３（２次側）を電気的に絶縁するためである。
【００２１】
ホトカプラＰＣ１のホトトランジスタＰＴｒ１側は、リレー駆動回路３に接続される。一方、リレー駆動回路３のリレー駆動配線Ｂ１，Ｂ２は、リレーＲＹのコイルに接続されている。リレー駆動回路３は、ホトカプラＰＣ１のホトトランジスタに電流が流れると、リチウム電池イオンパック５又はスイッチング電源７からの電流をリレーＲＹのコイルに加え、リレーＲＹの接点をオープン状態とする。
【００２２】
電池電圧検出部４は、リチウムイオン電池パック５のリチウムイオン電池（以下単に電池という）ＢＡＴの電圧を検出する。電池電圧検出部４は、電池ＢＡＴの電圧が所定値以上ある場合には、電池ＢＡＴからの電流をリレー駆動回路３に供給する。電池電圧検出部４は、電池ＢＡＴの電圧が所定値未満の場合には、スイッチング電源７からの電流でリレーＲＹのコイルを駆動する。
【００２３】
リチウムイオン電池パック５は、電池ＢＡＴと、電池ＢＡＴの温度を検出するためのサーミスタＴｈとを含んでいる。サーミスタＴｈの一端は充電制御回路６に接続されている。この実施の形態では、電池としてリチウムイオン電池を使用しているが、ニッケルカドミウム電池、ニッケル水素電池などの二次電池を使用できる。また、二次電池に変えて、電気二重層コンデンサも使用できる。
【００２４】
充電制御回路６は、電池ＢＡＴの充電を制御する回路で、サーミスタＴｈで検出される温度及び電池電圧に基づいて、電池の充電電流を制御する。なお、ここで検出される電池電圧は、電池電圧検出部４とは別に充電制御回路６により検出される電池ＢＡＴの電圧である。
【００２５】
スイッチング電源７は、配線Ｌ１、Ｌ２に１次側が接続される。なお、スイッチング電源７の１次側からは、入力状態検出部２への電源線Ａ１、Ａ２が引き出されている。スイッチング電源７の２次側７−２のＶ＋、Ｖ−は、充電制御回路６に接続される。また、Ｖ＋は、電池電圧検出部４にも接続されている。
【００２６】
以下、各回路の詳細について説明する。図２は、入力状態検出部２、リレー駆動回路３及び電池電圧検出部４の詳細を示す回路図である。入力状態検出部２は、シャントレギュレータＩＣ（Integrated Circuit）１を備えている。シャントレギュレータＩＣ１のカソードＫは、ホトカプラのＬＥＤ１及び抵抗Ｒ１を介して、スイッチング電源７の電源線Ａ１に接続される。シャントレギュレータＩＣ１のアノードＡは、スイッチング電源７の電源線Ａ２に接続される。コンデンサＣ１は、シャントレギュレータＩＣ１のバイパスコンデンサ（以下単にパスコンという）。
【００２７】
配線Ｌ１のＦ点は、整流ダイオードＤ２、抵抗Ｒ２、Ｒ３を介して電源線Ａ２に接続される。抵抗Ｒ２、Ｒ３で分圧された電圧は、シャントレギュレータＩＣ１のリファレンスＲに接続される。電解コンデンサＣ２は、リファレンス電圧を安定させる。リファレンス電圧が所定値以上となると（すなわち、交流電源の過電圧が発生すると）、シャントレギュレータＩＣ１のカソード、アノード間に電流が流れ、ＬＥＤ１が点灯するよう構成される。
【００２８】
リレー駆動回路３は、抵抗Ｒ４，Ｒ５、Ｒ６、トランジスタＱ１、Ｑ２を含んでいる。ホトカプラＰＣ１のホトトランジスタＰＴｒ１のコレクタは、トランジスタＱ１のベースに接続され、トランジスタＱ１のコレクタはトランジスタＱ２のベースに接続される。トランジスタＱ２のコレクタは前記リレー駆動配線Ｂ２に接続される。ホトカプラＰＣ１のＬＥＤが発光すると、ホトカプラＰＣ１のホトトランジスタＰＴｒ１に電流が流れ、トランジスタＱ１がオフ、Ｑ２がオンして、Ｂ１−Ｂ２間に電流が流れる。この電流でリレーＲＹが駆動されて、リレーＲＹの接点がオープン状態となる。
【００２９】
電池電圧検出部４には、リレー駆動配線Ｂ１とＢ２が接続している。配線Ｂ１は、逆流防止用ダイオードＤ３、トランジスタＱ３を介して、スイッチング電源７の電源線Ｖ＋にも接続されている。トランジスタＱ３のベースは、抵抗Ｒ７を介してコンパレータＩＣ２の出力に接続されている。
【００３０】
配線Ｂ１には、さらに逆流防止用ダイオードＤ４を介して電池ＢＡＴの陽極に接続される（Ｅ端子）。コンパレータＩＣ２の反転入力には、スイッチング電源７の電源線Ｖ＋、Ｖ−間の電圧を、抵抗Ｒ９及びＲ１０で分圧した電圧Ｖｒｅｆが加えられる。また、コンパレータＩＣ２の非反転入力には、電池ＢＡＴの電圧を抵抗Ｒ１１及びＲ１２で分圧した電圧Ｖｅが加えられる。電池電圧が低下し電圧ＶｅがＶｒｅｆ未満になると、コンパレータＩＣ２の出力がＬowとなり、トランジスタＱ３がオンする。そして、スイッチング電源７の電流が電源線Ｂ１に加えられ、リレーＲＹがスイッチング電源７からの電流で駆動される。
【００３１】
図３は、充電制御回路３の詳細を示す回路図である。充電制御回路３は、充電制御用ＩＣ３を含んでおり、電源線Ｖ＋上にはトランジスタＱ４及び抵抗Ｒ１３が配置されている。トランジスタＱ４のベースは、抵抗Ｒ１６を介して充電制御用ＩＣ３の制御端子ＣＯＮＴに接続されている。また、トランジスタＱ４のベース・エミッタ間は、抵抗Ｒ１７を介して接続されている。制御端子ＣＯＮＴによりトランジスタＱ４がオン／オフし、電池ＢＡＴの充電電流が制御される。
【００３２】
充電制御用ＩＣ３の電源端子Ｖ(+)には、電源線Ｖ＋からの電圧が加えられている。Ｃ３は、充電制御用ＩＣ３のパスコンである。充電制御用ＩＣ３の端子ＬＥＤ−ＧにはＬＥＤ３のカソードが、端子ＬＥＤ−ＲにはＬＥＤ４のカソードがそれぞれ接続されている。ＬＥＤ３のアノードは保護抵抗Ｒ１８を介して電源線Ｖ＋に接続される。また、ＬＥＤ４のアノードは保護抵抗Ｒ１９を介して電源線Ｖ＋に接続されている。ＬＥＤ３及びＬＥＤ４は、電池ＢＡＴの充電状態を表示しており、例えば、満充電でＬＥＤ３が点灯し、充電中はＬＥＤ４が点灯する。
【００３３】
抵抗Ｒ１３には電池ＢＡＴの充電電流が流れ、その電圧降下を端子ＣＳ１、ＣＳ２で検出し、充電制御用ＩＣ３が充電電流を監視できる。電池電圧をＲ１４及びＲ１５で分圧された電圧が端子ＶＳに加えられ、充電制御用ＩＣ３は端子ＶＳの電圧に基づいて電池ＢＡＴを充電する。リチウムイオン電池パック５内のサーミスタＴｈは、充電制御用ＩＣ３のＴＤＥＴ端子に接続されており、電池ＢＡＴの温度を検出して、充電制御用ＩＣ３は電池ＢＡＴの充電を制御する。
【００３４】
図４は、スイッチング電源７の詳細を説明する回路図である。スイッチング電源７は、交流電源に接続される１次側７−１と、この１次側７−１とトランスＴを介して絶縁状態で結合される２次側７−２とから構成される。１次側７−１は、ラインフィルタ８及びヒューズＦ２を介して交流電源に接続されている。ラインフィルタ８を通過してノイズが除去された交流は、ダイオードブリッジＤＢにより全波整流され、コンデンサＣ５で平滑化される。
【００３５】
コンデンサＣ５で平滑化された直流電圧は、トランスＴの１次側巻線Ｔｗ１１の一端ａ１１に加えられる。また、直流電圧のグランド側は、スイッチング電源用ＩＣ４のＧＮＤ端子に接続される。スイッチング電源用ＩＣ４は、いわゆるトランジスタ内蔵型で、Ｄ端子とＧＮＤ端子間を、内蔵されたトランジスタをオン／オフしてスイッチング動作をする。Ｄ端子は、トランスＴの巻線Ｔｗ１１の他端ｂ１１に接続されている。ツェナーダイオードＺＤ及びダイオードＤ５は、スイッチング電源用ＩＣ４を過電圧より保護する。
【００３６】
トランスＴの１次側巻線Ｔｗ１２の一端ａ１２は、整流用ダイオードＤ７及び抵抗Ｒ２１を介して、スイッチング電源用ＩＣ４のＶＤＤ端子及び電源線Ａ１に接続される。トランスＴの１次側巻線Ｔｗ１２の他端Ｂ１２はスイッチング電源用ＩＣ４のＧＮＤ端子及び電源線Ａ２に接続されている。コンデンサＣ６は、ＶＤＤ端子に加わる電圧を平滑化する。また、コンデンサＣ７は、スイッチング電源用ＩＣ４のパスコンである。
【００３７】
１次側巻線Ｔｗ１２の一端ａ１２には、ダイオードＤ６のアノードが接続される。ダイオードＤ６のカソードは、抵抗Ｒ２０を介して、抵抗Ｒ２０と抵抗Ｒ２２で分圧された電圧がスイッチング電源用ＩＣ４のＣＯＮＴ端子に接続され、スイッチング電源用ＩＣ４でモニタされる。また、１次側巻線Ｔｗ１２の他端ｂ１２は、ブラウンアウト保護用の端子ＢＲに接続されている。
【００３８】
スイッチング電源用ＩＣ４のＦＢ端子には、ホトカプラＰＣ２のホトトランジスタＰＴｒ２のコレクタに接続される。また、ホトカプラＰＣ２のホトトランジスタＰＴｒ２のエミッタは電源線Ａ２に接続されている。
【００３９】
トランスＴの２次側巻線Ｔｗ２の端子ａ２は、整流用のダイオードＤ８を介して電源線Ｖ＋に接続される。また、２次側巻線Ｔｗ２の端子ｂ２は、電源線Ｖ−に接続されている。電源線Ｖ＋とＶ−間には、電圧平滑化用のコンデンサＣ８が接続されている。また、電源線Ｖ＋とＶ−間には、スイッチング電源７の動作確認用のＬＥＤ５とその保護抵抗Ｒ２５が直列に接続されている。
【００４０】
２次側７−２には、シャントレギュレータＩＣ５が設けられている。シャントレギュレータＩＣ５のリファレンスＲには、電源線Ｖ＋、Ｖ−間の電圧が、抵抗Ｒ２６及びＲ２７で分圧されて加えられる。シャントレギュレータＩＣ５のアノードＡは、電源線Ｖ−に接続されている。シャントレギュレータＩＣ５のカソードＫは、抵抗Ｒ２３、ホトカプラＰＣ２のＬＥＤ２を介して、電源線Ｖ＋に接続される。なお、コンデンサＣ９は、シャントレギュレータＩＣ５のパスコンである。
【００４１】
Ｖ＋の電圧が上昇するとシャントレギュレータＩＣ５のリファレンスＲに加わる電圧が上昇し、カソードＫ、アノードＡ間の電流が増加しホトカプラＰＣ２のＬＥＤ２の電流も増加する。ＬＥＤ２の電流が増加すると、ホトカプラＰＣ２のホトトランジスタＰＴｒ２の電流も増加し、スイッチング電源用ＩＣ４のＦＢ端子電圧が低下しスイッチング電源用ＩＣ４に内蔵のトランジスタのＯＮ時間が短くなる。
【００４２】
すなわち、２次側７−２のシャントレギュレータＩＣ５が所定の電圧を検出したら、１次側７−１のスイッチング電源用ＩＣ４に内蔵のトランジスタのＯＮ時間が変化するようフィードバック制御がかけられる。ホトカプラＰＣ２を用いているのは、１次側７−１と２次側７−２を電気的に絶縁するためである。
【００４３】
次に、過電圧保護装置１の動作を説明する。通常の状態では、リレーＲＹの接点は閉じており、入力端ＡＣ＿１と出力端ＡＣ＿２には交流が流れ、出力端ＡＣ＿２に接続される保護対象機器には電源が供給されることとなる。入力端ＡＣ＿１が高い電圧の交流電源に誤って接続された場合には、Ｆ点の電圧が異常になる。入力状態検出部２がその異常電圧を検出して、シャントレギュレータＩＣ１のカソードＫ−アノードＡ間に電流が流れ、ホトカプラＰＣ１のＬＥＤ１が点灯する。
【００４４】
ホトカプラＰＣ１のＬＥＤ１が点灯すると、ホトトランジスタＰＴｒ１がオンとなり、さらにトランジスタＱ１がオフ、Ｑ２がオンとなり、リレー駆動配線Ｂ１、Ｂ２間に電流が流れ、常閉接点のリレーＲＹがオープンとなって、出力端ＡＣ＿２の交流電源が遮断され、保護対象機器が保護される。
【００４５】
リレー駆動配線Ｂ１には電池ＢＡＴからの電流が供給されるが、放電により電池電圧が低下してくるとそれがコンパレータＩＣ２で検出されて、トランジスタＱ３がオンする。トランジスタＱ３がオンすると、スイッチング電源７の電源線Ｖ＋からの電流がリレー駆動配線Ｂ１に供給され、リレーＲＹの接点がオープン状態に保持される。
【００４６】
放電した電池ＢＡＴは、充電制御回路６により充電される。電池ＢＡＴが充電され、電圧が上がると、コンパレータＩＣ２で電圧の上昇が検出されてトランジスタＱ３がオフする。トランジスタＱ３がオフすると、スイッチング電源７からの電流が遮断され、電池ＢＡＴからの電流でリレーＲＹの接点がオープン状態に保持される。
【００４７】
差込プラグがコンセントより抜かれるなどによって、入力端ＡＣ＿ＩＮと交流電源が遮断されると、入力状態検出部２のシャントレギュレータＩＣ１のカソードＫ、アノードＡ間の電流が遮断されてＬＥＤ１が消灯する。ＬＥＤ１が消灯すると、トランジスタＱ１がオン、Ｑ２がオフして、リレーＲＹへの電流供給が遮断され、リレーＲＹの接点はクローズ状態に復帰する。それまで、電池ＢＡＴ又はスイッチング電源７により、リレーＲＹの接点のオープン状態が保持される。
【００４８】
また、交流電源の電圧変動により一時的に過電圧となった場合には、上記と同様の動作でリレーＲＹがオープン状態となって、保護対象機器が保護されるが、交流電源の電圧が正常値に戻った場合には、リレーＲＹの接点がクローズ状態に復帰し、保護対象機器に再び交流電源が供給されるようになる。
【符号の説明】
【００４９】
１    過電圧保護装置
２    入力状態検出部
３    リレー駆動回路
４    電池電圧検出部
５    リチウムイオン電池パック
６    充電制御回路
７    スイッチング電源
８    ラインフィルタ
ＡＣ＿ＩＮ    交流電源入力端
ＡＣ＿ＯＵＴ  交流電源出力端
ＢＡＴ  リチウムイオン電池
ＩＣ１  シャントレギュレータ
ＩＣ２  コンパレータ
ＩＣ３  充電制御用ＩＣ
ＩＣ４  スイッチング電源用ＩＣ
ＩＣ５  シャントレギュレータ
Ｌ１    配線
Ｌ２    配線
ＲＹ    常閉接点リレー
ＰＣ１  ホトカプラ
ＰＣ２  ホトカプラ
【図１】
2014023300.tif 000003
【図２】
2014023300.tif 000004
【図３】
2014023300.tif 000005
【図４】
2014023300.tif 000006